(57)【要約】【課題】透明トナー像を記録用紙の表裏両面に定着する場合、当該透明トナー像において濃度ムラの発生を防止することが可能な光沢処理装置および画像形成システムを提供する。【解決手段】ワックスを少なくとも含む透明トナーからなる透明トナー像が、表裏両面の最外層にそれぞれ定着された記録用紙２７０を、両面から一時に加熱する加熱部（上側加圧部および下側加圧部）と、加熱部に対して記録用紙２７０の搬送方向下流側に配置され、加熱部により加熱された記録用紙２７０を両面から一時に冷却するファン２８６ａ，２８６ｂと、加熱部およびファン２８６ａ，２８６ｂを制御する制御部１５１とを備える。制御部１５１は、ワックスの融点よりも高い所定温度を上回る温度で両面が加熱されるべく加熱部を制御するとともに、融点を下回る温度で両面が冷却されるべくファン２８６ａ，２８６ｂを制御する。【選択図】図３
2014021310.tif 000002
【特許請求の範囲】
【請求項１】
ワックスを少なくとも含む透明トナーからなる透明トナー像が、表裏両面の最外層にそれぞれ定着された記録用紙を、前記両面から一時に加熱する加熱部と、
前記加熱部に対して前記記録用紙の搬送方向下流側に配置され、前記加熱部により加熱された前記記録用紙を前記両面から一時に冷却する冷却部と、
前記加熱部および前記冷却部を制御する制御部と、
を備え、
前記制御部は、前記ワックスの融点よりも高い所定温度を上回る温度で前記両面が加熱されるべく前記加熱部を制御するとともに、前記融点を下回る温度で前記両面が冷却されるべく前記冷却部を制御する光沢処理装置。
【請求項２】
前記所定温度を上回る温度は、前記透明トナーの軟化点よりも低い温度である請求項１に記載の光沢処理装置。
【請求項３】
前記制御部は、前記記録用紙を所定速度以上の冷却速度で冷却するように、前記冷却部を制御する請求項１または２に記載の光沢処理装置。
【請求項４】
前記加熱部の温度低下を防止する温度低下防止部を備える請求項１〜３の何れか１項に記載の光沢処理装置。
【請求項５】
前記冷却部は、前記記録用紙の両面に向けてエアをそれぞれ送風するものであり、
前記温度低下防止部は、前記冷却部から送風されるエアを前記加熱部から遮断するエア遮断部を有する請求項４に記載の光沢処理装置。
【請求項６】
前記制御部は、前記記録用紙の坪量に応じて加熱量を変更するように前記加熱部を制御する請求項１〜５の何れか１項に記載の光沢処理装置。
【請求項７】
前記制御部は、前記記録用紙の加熱温度を変更することによって前記加熱量を変更する請求項６に記載の光沢処理装置。
【請求項８】
前記制御部は、前記記録用紙の加熱時間を変更することによって前記加熱量を変更する請求項６に記載の光沢処理装置。
【請求項９】
前記制御部は、前記記録用紙の坪量に応じて冷却量を変更するように前記冷却部を制御する請求項１〜８の何れか１項に記載の光沢処理装置。
【請求項１０】
前記記録用紙は、所定値以上の坪量を有する請求項１〜９の何れか１項に記載の光沢処理装置。
【請求項１１】
請求項１〜１０の何れか１項に記載の光沢処理装置を備える画像形成システム。
【発明の詳細な説明】
【技術分野】
【０００１】
本発明は、光沢処理装置および画像形成システムに関する。
【背景技術】
【０００２】
近年、クリアトナー（以下、透明トナー）を用いた画像形成装置が提案されている。このような画像形成装置では、記録用紙上にカラートナー（以下、有色トナー）像と透明トナー像を順次、画像形成して定着する処理が行われる。
【０００３】
画像形成装置に関する技術としては、複数の定着部を備える画像形成装置において、記録用紙に光沢の段差が発生することを防止する技術が提案されている（例えば、特許文献１を参照）。特許文献１に記載の技術では、記録用紙に転写された画像を定着させる上流側の第１定着部および下流側の第２定着部と、第１定着部で定着された記録用紙を第２定着部による定着に先立って冷却可能な用紙冷却部とを備える。記録用紙の光沢の強い部分を相対的に強く冷却し、かつ、当該記録用紙の光沢の弱い部分を相対的に弱く冷却するように用紙冷却部を制御することによって、第２定着部の前に生じていた光沢の段差を解消する。
【先行技術文献】
【特許文献】
【０００４】
【特許文献１】特開２０１０−２６６５５８号公報
【発明の概要】
【発明が解決しようとする課題】
【０００５】
しかしながら、透明トナーを用いた画像形成装置では、厚紙の記録用紙の表裏両面に有色トナー画像と透明トナー像とを順次形成して定着する場合、記録用紙の第１面目における透明トナー像に白濁域と透明域とが生じて濃度ムラが発生するという問題があった。この問題の発生メカニズムを以下、説明する。
【０００６】
図１４（ａ）は、記録用紙１００の両面に有色トナー像と透明トナー像とを順次形成して定着する処理の概略を示している。まず、記録用紙１００の第１面目に有色トナー像を形成、定着した後、記録用紙１００の表裏を反転させて、記録用紙１００の第２面目に有色トナー像を形成、定着する。次に、記録用紙１００の第１面目に透明トナー像を形成、定着した後、記録用紙１００の表裏を反転させて、記録用紙１００の第２面目に透明トナー像を形成、定着する。定着処理では、１８０〜２００［℃］に温度制御された上ローラー１０１Ａと、６０〜９０［℃］に温度制御された下ローラー１０１Ｂとを圧接することにより形成される定着ニップ部に記録用紙１００を通過させて、記録用紙１００上に形成された有色トナー像、透明トナー像に熱を与える。
【０００７】
図１４（ｂ）は、図１４（ａ）に示した全ての処理が行われた後における記録用紙１００の状態を示している。記録用紙１００の第２面目には、有色トナー像１０８と透明トナー像１１０とが定着されている。記録用紙１００の第１面目には、有色トナー像１０２と透明トナー像１０４とが定着されている。ただし、透明トナー像１０４には、下ローラー１０１Ｂの１周目に接触した部分に相当する白濁域１０４Ａと、下ローラー１０１Ｂの２周目に接触した部分に相当する透明域１０４Ｂと、下ローラー１０１Ｂの３周目に接触した部分に相当する透明域１０４Ｃとが生じている。
【０００８】
下ローラー１０１Ｂによる加熱温度は、白濁域１０４Ａが８０［℃］、透明域１０４Ｂが６５［℃］、透明域１０４Ｃが５０［℃］であり、白濁域１０４Ａ、透明域１０４Ｂ、透明域１０４Ｃの順で低くなっている、すなわち温度差ができている。下ローラー１０１Ｂの熱が、記録用紙１００によって次第に奪われるためである。このように、下ローラー１０１Ｂの加熱温度にムラが生じることが、透明トナー像１０４に濃度ムラが発生する原因となる。
【０００９】
透明トナー像１０４の定着処理において、下ローラー１０１Ｂの１周目に接触した部分では、図１４（ｃ）の曲線１２２に示すように、透明トナー像１０４に含まれるワックスの融点（例えば、７０［℃］）をわずかに超えた温度（例えば、８０［℃］）で加熱される。そのため、定着処理後の自然冷却時に、ワックスの融点を通過する際の冷却速度は小さくなる。したがって、透明トナー像１０４内のワックスは、結晶化して白濁した状態となる。なお、図１４（ｃ）は、２回目の定着処理における記録用紙１００の温度について時系列的な変化を示した図である。
【００１０】
一方、透明トナー像１０４の定着処理において、下ローラー１０１Ｂの２，３周目に接触した部分では、図１４（ｃ）の曲線１２４に示すように、ワックスの融点を超えない温度（例えば、６５［℃］）で加熱される。そのため、透明トナー像１０４内のワックスは、融けることなく透明さを維持する。
【００１１】
なお、２回目の定着処理において上ローラー１０１Ａに接触した第２面目の透明トナー像１１０は、図１４（ｃ）の曲線１２０に示すように、ワックスの融点を大きく超えた温度（例えば、１６０［℃］）で加熱される。そのため、定着処理後の自然冷却時に、ワックスの融点を通過する際の冷却速度は大きくなる。したがって、透明トナー像１１０内のワックスは結晶化せず、透明トナー像１０４は、全体的に均一な透明層となる。
【００１２】
本発明は、透明トナー像を記録用紙の表裏両面に定着する場合、当該透明トナー像において濃度ムラの発生を防止することが可能な光沢処理装置および画像形成システムを提供することを目的とする。
【課題を解決するための手段】
【００１３】
本発明に係る光沢処理装置は、
ワックスを少なくとも含む透明トナーからなる透明トナー像が、表裏両面の最外層にそれぞれ定着された記録用紙を、前記両面から一時に加熱する加熱部と、
前記加熱部に対して前記記録用紙の搬送方向下流側に配置され、前記加熱部により加熱された前記記録用紙を前記両面から一時に冷却する冷却部と、
前記加熱部および前記冷却部を制御する制御部と、
を備え、
前記制御部は、前記ワックスの融点よりも高い所定温度を上回る温度で前記両面が加熱されるべく前記加熱部を制御するとともに、前記融点を下回る温度で前記両面が冷却されるべく前記冷却部を制御する。
本発明に係る画像形成システムは、上記光沢処理装置を備える。
【発明の効果】
【００１４】
本発明によれば、透明トナー像を記録用紙の表裏両面に定着する場合、当該透明トナー像において濃度ムラの発生を防止することが可能な光沢処理装置および画像形成システムを提供することができる。
【図面の簡単な説明】
【００１５】
【図１】第１の実施の形態における画像形成システムの制御ブロック図である。
【図２】第１の実施の形態における画像形成システムの構成を示す図である。
【図３】第１の実施の形態における光沢処理装置の構成を示す図である。
【図４】第１の実施の形態における画像形成システムの動作例を示すフローチャートである。
【図５】第２の実施の形態における光沢処理装置の構成を示す図である。
【図６】第２の実施の形態における光沢処理装置の動作例を示すフローチャートである。
【図７】第３の実施の形態における光沢処理装置の構成を示す図である。
【図８】第３の実施の形態における画像形成システムの動作例を示すフローチャートである。
【図９】第４の実施の形態における光沢処理装置の構成を示す図である。
【図１０】第４の実施の形態における光沢処理装置の動作例を示すフローチャートである。
【図１１】第５の実施の形態における光沢処理装置の構成を示す図である。
【図１２】第５の実施の形態における画像形成システムの動作例を示すフローチャートである。
【図１３】評価実験の結果を表す表である。
【図１４】従来技術の問題点を説明する図である。
【発明を実施するための形態】
【００１６】
（第１の実施の形態）
以下、第１の実施の形態を図面に基づいて説明する。
［画像形成システム１５０の構成］
図１，２に示す画像形成システム１５０は、制御部１５１、画像形成装置１６０、後処理装置１７０を備える。画像形成装置１６０は、原稿読み取り部１６１、操作表示部１６２、画像処理部１６３、画像形成部１６４、搬送部１６５および定着部１６８を備える。
【００１７】
制御部１５１は、ＣＰＵ（Ｃｅｎｔｒａｌ  Ｐｒｏｃｅｓｓｉｎｇ  Ｕｎｉｔ）１５２、ＲＯＭ（Ｒｅａｄ  Ｏｎｌｙ  Ｍｅｍｏｒｙ）１５３、ＲＡＭ（Ｒａｎｄｏｍ  Ａｃｃｅｓｓ  Ｍｅｍｏｒｙ）１５４等を備えている。ＣＰＵ１５２は、ＲＯＭ１５３から処理内容に応じたプログラムを読み出してＲＡＭ１５４に展開し、展開したプログラムと協働して画像形成システム１５０の各ブロックの動作を集中制御する。このとき、記憶部１６６に格納されている各種データが参照される。記憶部１６６は、例えば不揮発性の半導体メモリ（いわゆるフラッシュメモリ）やハードディスクドライブで構成される。
【００１８】
制御部１５１は、通信部１６７を介して、ＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）等の通信ネットワークに接続された外部の装置（例えばパーソナルコンピューター）との間で、各種データの送受信を行う。制御部１５１は、例えば、外部の装置から送信された画像データを受信し、この画像データ（入力画像データ）に基づいて記録用紙に画像を形成させる。通信部１６７は、例えばＬＡＮカード等の通信制御カードで構成される。
【００１９】
原稿読み取り部１６１は、コンタクトガラス上に搬送された原稿を光学的に走査し、原稿からの反射光をＣＣＤ（Ｃｈａｒｇｅ  Ｃｏｕｐｌｅｄ  Ｄｅｖｉｃｅ）センサーの受光面上に結像させ、原稿を読み取る。なお、コンタクトガラス上への原稿の搬送は、自動原稿給紙装置（ＡＤＦ）により行われるが、手作業で原稿をコンタクトガラス上に載置する場合もある。
【００２０】
操作表示部１６２は、タッチパネル式の画面を有する。ユーザーが行う各種の指示および設定のための入力操作は、タッチパネル式の画面を介して行うことができる。これら指示・設定の情報は、ジョブ情報として制御部１５１により扱われる。
【００２１】
画像処理部１６３は、アナログディジタル（Ａ／Ｄ）変換処理を行う回路およびディジタル画像処理を行う回路を含む。画像処理部１６３は、原稿読み取り部１６１のＣＣＤセンサーにより取得されたアナログ画像信号から、Ａ／Ｄ変換処理によりディジタル画像データを生成して画像形成部１６４に出力する。
【００２２】
搬送部１６５は、複数の用紙トレイ１１、複数の送り出しローラー１２、複数の搬送ローラー１３およびレジストローラー１４等を備える。用紙トレイ１１は、決められたサイズの記録用紙をそれぞれ収容しており、制御部１５１からの指示に応じて定められた用紙トレイ１１の送り出しローラー１２を作動させ、記録用紙を供給する。搬送ローラー１３は、送り出しローラー１２によって用紙トレイ１１から送り出された記録用紙をレジストローラー１４まで搬送する。レジストローラー１４は、記録用紙が画像形成部１６４に供給されるタイミングを調整する。
【００２３】
画像形成部１６４は、中間転写ベルト２０、プロセスユニット２１Ｙ，２１Ｍ，２１Ｃ，２１Ｋ、２次転写ローラー２０３等を備える。
【００２４】
中間転写ベルト２０の周囲には、Ｙ（イエロー）成分、Ｍ（マゼンタ）成分、Ｃ（シアン）成分、Ｋ（ブラック）成分の有色トナー像形成部から成る４組のプロセスユニット２１Ｙ，２１Ｍ，２１Ｃ，２１Ｋが設けられている。各プロセスユニット２１Ｙ，２１Ｍ，２１Ｃ，２１Ｋでは、それぞれＹ、Ｍ、Ｃ、Ｋのトナー像が形成され、中間転写ベルト２０の上に重ね合わせて転写される。転写されたトナー像は、レジストローラー１４によりタイミングが調整された記録用紙上に転写される。
【００２５】
４組のプロセスユニット２１Ｙ，２１Ｍ，２１Ｃ，２１Ｋについて説明する。なお、各
プロセスユニット２１Ｙ，２１Ｍ，２１Ｃ，２１Ｋにおいて、同一の構成部材には同一の
符号を付し、その符号の後に各色を表す符号Ｙ、Ｍ、Ｃ、Ｋを付して表記する。また、特
に区別が必要ない場合には符号Ｙ，Ｍ，Ｃ，Ｋを付さずに表記する。
【００２６】
感光体ドラム２１１は、表面に光導電層の形成された像担持体であり、図示しない駆動装置により図２中の矢印方向に回転可能に構成されている。帯電器２１２は、感光体ドラム２１１の表面に均一に電荷を与え、感光体ドラム２１１の表面を一様に帯電させる。露光器２１３は、レーザーダイオード等のビーム発光源を備え、帯電された感光体ドラム２１１の表面にビーム光を照射することで照射部分の電荷を消失させ、感光体ドラム２１１上に各色の画像データに応じた静電潜像を形成する。
【００２７】
現像部２１４は、Ｙ，Ｍ，Ｃ，Ｋの何れかのトナーを収容し、Ｙ，Ｍ，Ｃ，Ｋの画像データに応じたトナーを感光体ドラム２１１に供給して、感光体ドラム２１１表面に各色の有色トナー像を形成する。
【００２８】
１次転写ローラー２１５は、中間転写ベルト２０を介して感光体ドラム２１１と対向し、感光体ドラム２１１上の有色トナー像を中間転写ベルト２０に転写する。
【００２９】
中間転写ベルト２０は、無端状のベルトであり、駆動ローラー２０１と、複数のテンションローラー２０２とにより張架されている。中間転写ベルト２０は、図示しない駆動装置により図２中の矢印方向に回転可能に構成されている。２次転写ローラー２０３は、中間転写ベルト２０を介してテンションローラー２０２に対向し、中間転写ベルト２０上に転写された有色トナー像を搬送部１６５から供給された記録用紙に転写する。有色トナー像が転写された記録用紙は、定着部１６８へ搬送される。
【００３０】
定着部１６８は、有色トナー像が転写された記録用紙に対し、加熱ローラー３２および加圧ローラー３３により熱と圧力を加えて定着処理を施し、これにより記録用紙上に有色トナー像を定着させる。有色トナー像が定着された記録用紙は、定着部１６８から排紙部１６９に搬送され、排紙部１６９から後処理装置１７０に搬送される。
【００３１】
搬送部１６５には、画像形成部１６４および定着部１６８を通過した記録用紙を、排紙部１６９に搬送する通常搬送路と、画像形成部１６４および定着部１６８を通過した記録用紙の表裏を反転させた後、画像形成部１６４の上流で再び通常搬送路に合流させる反転搬送路とを備える。
【００３２】
記録用紙の表裏両面に有色トナー像を形成する場合には、最初に通常搬送路を通る際に記録用紙の表面（以下、第１面目）に有色トナー像が形成され、反転搬送路を通過した後、再び通常搬送路を通る際に記録用紙の裏面（以下、第２面目）に有色トナー像が形成されるようになっている。
【００３３】
後処理装置１７０は、透明トナー付与部６０、定着部２６０および光沢処理装置２８０を備える。透明トナー付与部６０は、上記したプロセスユニット２１Ｙ，２１Ｍ，２１Ｃ，２１Ｋと略同様に構成されている。プロセスユニット２１を構成する部材と同一の部材については同一の符号を付し、その符号の後に透明トナーを表す符号Ｔを付して表記する。
【００３４】
透明トナー付与部６０は、帯電器２１２Ｔにより感光体ドラム２１１Ｔの表面を一様に帯電させ、露光器２１３Ｔにより感光体ドラム２１１Ｔの表面に静電潜像を形成する。感光体ドラム２１１Ｔは、図２中の矢印方向に回転可能に構成されている。
【００３５】
透明トナー付与部６０は、静電潜像の形成された感光体ドラム２１１Ｔに現像部２１４Ｔにより透明トナーＴを供給して、感光体ドラム２１１Ｔ上に透明トナー像を形成し、１次転写ローラー２１５Ｔにより当該透明トナー像を中間転写ベルト２０Ｔに転写する。透明トナー付与部６０は、中間転写ベルト２０Ｔに対向して設けられた２次転写ローラー２０３Ｔにより、中間転写ベルト２０Ｔに転写された透明トナー像を記録用紙上に転写する。透明トナー像が転写された記録用紙は、定着部２６０に搬送される。
【００３６】
透明トナーＴに含まれるワックス（例えば、パラフィン）は、結晶化温度が７０［℃］であり、融点が１００［℃］である。透明トナーＴの軟化点は１１５［℃］である。各有色トナーの軟化点は１２０［℃］である。
【００３７】
定着部２６０は、透明トナー像が転写された記録用紙に対し、熱と圧力を加えて定着処理を施し、これにより記録用紙上に透明トナー像を定着させる。透明トナー像が定着された記録用紙は、定着部２６０から光沢処理装置２８０に搬送される。
【００３８】
定着部２６０の下流には、透明トナー付与部６０および定着部２６０を通過した記録用紙を、光沢処理装置２８０に搬送する通常搬送路と、透明トナー付与部６０および定着部２６０を通過した記録用紙の表裏を反転させた後、透明トナー付与部６０の上流で再び通常搬送路に合流させる反転搬送路（図示せず）とを備える。
【００３９】
画像形成装置１６０において記録用紙の表裏両面に有色トナー像を形成した場合には、最初に通常搬送路を通る際に記録用紙の第１面目に透明トナー像が形成され、反転搬送路を通過した後、再び通常搬送路を通る際に記録用紙の第２面目に透明トナー像が形成されるようになっている。以下、有色トナーおよび透明トナーを「トナー」と称する。また、有色トナー像および透明トナー像を「トナー像」と称する。
【００４０】
［定着部２６０および光沢処理装置２８０の構成］
次に、図３を参照して、定着部２６０および光沢処理装置２８０の具体的な構成について説明する。定着部２６０は、ベルト加熱方式により構成される。
【００４１】
定着部２６０は、定着ニップ部を形成する上側加圧部と下側加圧部とを有する。上側加圧部は、加熱部材としての加熱ローラー２６０ａと、定着部材としての上加圧ローラー２６０ｂとを有する。加熱ローラー２６０ａと上加圧ローラー２６０ｂとの間には、無端状の定着ベルト２６０ｃが所定のベルト張力（例えば１００［Ｎ］）で張架されている。下側加圧部は、下加圧ローラー２６０ｄを有する。なお、下側加圧部は、一対のローラーによって回転駆動されるベルトを備えたベルト構造でも良い。
【００４２】
下加圧ローラー２６０ｄは、定着ベルト２６０ｃを介して上加圧ローラー２６０ｂに所定の定着荷重（例えば１４００［Ｎ］）で押圧される。上加圧ローラー２６０ｂと下加圧ローラー２６０ｄとの間には、記録用紙２７０を狭持して搬送する定着ニップ部ＮＰが形成される。定着ニップ部ＮＰの幅は、例えば１２［ｍｍ］である。
【００４３】
定着ベルト２６０ｃは、例えば、厚さ７０［μｍ］のＰＩ（ポリイミド）からなる基体の外周面を弾性層として厚さ２００［μｍ］の耐熱性のシリコンゴム（硬度ＪＩＳ−Ａ１５［°］）で被覆し、さらに、表層に厚さ３０［μｍ］の耐熱性樹脂であるＰＦＡ（パーフルオロアルコキシ）のコーティングをしてなる。
【００４４】
加熱ローラー２６０ａは、定着ベルト２６０ｃを加熱する。加熱ローラー２６０ａは、定着ベルト２６０ｃを加熱するハロゲンヒーター２６０ｅを内蔵している。ハロゲンヒーター２６０ｅは、例えば、アルミニウム等から形成された円筒状の芯金における外周面をＰＴＦＥでコーティングした樹脂層で被覆されている。ハロゲンヒーター２６０ｅは、例えば１２００［Ｗ］のものを２本用いて構成される。
【００４５】
ハロゲンヒーター２６０ｅの温度は、定着ベルト２６０ｃの温度が１６０〜２００［℃］になるように、制御部１５１によって制御される。ハロゲンヒーター２６０ｅによって加熱ローラー２６０ａが加熱され、その結果、定着ベルト２６０ｃが加熱される。
【００４６】
上加圧ローラー２６０ｂは、下加圧ローラー２６０ｄとともに、定着ニップ部ＮＰを形成するための加圧部を構成する。上加圧ローラー２６０ｂの駆動制御（例えば、回転のオン／オフ、回転数等）は、制御部１５１によって行われる。
【００４７】
上加圧ローラー２６０ｂは、例えば、鉄等の金属から形成された中実の芯金を、弾性層として厚さ７［ｍｍ］の耐熱性のシリコンゴム（硬度ＪＩＳ−Ａ１０［°］）で被覆し、さらに、低摩擦で耐熱性樹脂であるＰＴＦＥでコーティングした樹脂層で被覆したものである。
【００４８】
下加圧ローラー２６０ｄは、上加圧ローラー２６０ｂとともに、定着ニップ部ＮＰを形成するための加圧部を構成する。下加圧ローラー２６０ｄは、押圧手段（図示略）により定着ベルト２６０ｃを介して上加圧ローラー２６０ｂに押圧される。下加圧ローラー２６０ｄの駆動制御（例えば、回転のオン／オフ、回転数等）は、制御部１５１によって行われる。
【００４９】
下加圧ローラー２６０ｄは、アルミニウム等から形成された円筒状の芯金の外周面を、弾性層として厚さ２［ｍｍ］の耐熱性のシリコンゴム（硬度ＪＩＳ−Ａ１０［°］）で被覆し、さらに、厚さ３０［μｍ］のＰＦＡチューブの樹脂層で被覆したものである。
【００５０】
下加圧ローラー２６０ｄは、下加圧ローラー２６０ｄを加熱するハロゲンヒーター２６０ｆを内蔵している。ハロゲンヒーター２６０ｆは、例えば、アルミニウム等から形成された円筒状の芯金における外周面をＰＴＦＥでコーティングした樹脂層で被覆されている。ハロゲンヒーター２６０ｆは、例えば１２００［Ｗ］のものを２本用いて構成される。
【００５１】
ハロゲンヒーター２６０ｆの温度は、下加圧ローラー２６０ｄの温度が８０〜１００［℃］になるように、制御部１５１によって制御される。
【００５２】
定着部２６０における定着速度は、例えば、３００［ｍｍ／ｓ］である。定着速度は、上加圧ローラー２６０ｂと下加圧ローラー２６０ｄとによって形成される定着ニップ部ＮＰを、記録用紙２７０が通過する速度である。
【００５３】
光沢処理装置２８０は、定着ニップ部を形成する上側加圧部と下側加圧部とを有する。上側加圧部は、図３に示すように、加熱部材としての加熱ローラー２８０ａと、定着部材としての上加圧ローラー２８０ｂとを有する。加熱ローラー２８０ａと上加圧ローラー２８０ｂとの間には、無端状の定着ベルト２８０ｃが所定のベルト張力（例えば１００［Ｎ］）で張架されている。下側加圧部は、加熱部材としての加熱ローラー２８０ｄと、定着部材としての下加圧ローラー２８０ｅとを有する。加熱ローラー２８０ｄと下加圧ローラー２８０ｅとの間には、無端状の定着ベルト２８０ｆが所定のベルト張力（例えば１００［Ｎ］）で張架されている。
【００５４】
下加圧ローラー２８０ｅは、定着ベルト２８０ｃ，２８０ｆを介して上加圧ローラー２８０ｂに所定の定着荷重（例えば１０００［Ｎ］）で押圧される。上加圧ローラー２８０ｂと下加圧ローラー２８０ｅとの間には、記録用紙２７０を狭持して搬送する定着ニップ部ＮＰ２が形成される。
【００５５】
定着ベルト２８０ｃ，２８０ｆは、例えば、厚さ７０［μｍ］のＰＩ（ポリイミド）からなる基体の外周面を弾性層として厚さ２００［μｍ］の耐熱性のシリコンゴム（硬度ＪＩＳ−Ａ１５［°］）で被覆し、さらに、表層に厚さ３０［μｍ］の耐熱性樹脂であるＰＦＡ（パーフルオロアルコキシ）のコーティングをしてなる。
【００５６】
加熱ローラー２８０ａは、定着ベルト２８０ｃを加熱する。加熱ローラー２８０ａは、定着ベルト２８０ｃを加熱するハロゲンヒーター２８０ｇを内蔵している。ハロゲンヒーター２８０ｇは、例えば、アルミニウム等から形成された円筒状の芯金における外周面をＰＴＦＥでコーティングした樹脂層で被覆されている。ハロゲンヒーター２８０ｇは、例えば１２００［Ｗ］のものを２本用いて構成される。
【００５７】
ハロゲンヒーター２８０ｇの温度は、定着ベルト２８０ｃの温度が１１０〜１３０［℃］、すなわち透明トナーに含まれるワックスの融点以上となるように、制御部１５１によって制御される。ハロゲンヒーター２８０ｇによって加熱ローラー２８０ａが加熱され、その結果、定着ベルト２８０ｃが加熱される。
【００５８】
上加圧ローラー２８０ｂは、下加圧ローラー２８０ｅとともに、定着ニップ部ＮＰ２を形成するための加圧部を構成する。上加圧ローラー２８０ｂの駆動制御（例えば、回転のオン／オフ、回転数等）は、制御部１５１によって行われる。
【００５９】
上加圧ローラー２８０ｂは、例えば、鉄等の金属から形成された中実の芯金を、弾性層として厚さ６．５［ｍｍ］の耐熱性のシリコンゴム（硬度ＪＩＳ−Ａ１０［°］）で被覆し、さらに、低摩擦で耐熱性樹脂であるＰＴＦＥでコーティングした樹脂層で被覆したものである。
【００６０】
下加圧ローラー２８０ｅは、上加圧ローラー２８０ｂとともに、定着ニップ部ＮＰ２を形成するための加圧部を構成する。下加圧ローラー２８０ｅは、定着ベルト２８０ｃ，２８０ｆを介して上加圧ローラー２８０ｂに押圧される。下加圧ローラー２８０ｅの駆動制御（例えば、回転のオン／オフ、回転数等）は、制御部１５１によって行われる。
【００６１】
下加圧ローラー２８０ｅは、アルミニウム等から形成された円筒状の芯金の外周面を、弾性層として厚さ６．５［ｍｍ］の耐熱性のシリコンゴム（硬度ＪＩＳ−Ａ１０［°］）で被覆し、さらに、ＰＦＡチューブの樹脂層で被覆したものである。
【００６２】
加熱ローラー２８０ｄは、定着ベルト２８０ｆを加熱する。加熱ローラー２８０ｄは、定着ベルト２８０ｆを加熱するハロゲンヒーター２８０ｈを内蔵している。ハロゲンヒーター２８０ｈは、例えば、アルミニウム等から形成された円筒状の芯金における外周面をＰＴＦＥでコーティングした樹脂層で被覆されている。ハロゲンヒーター２８０ｈは、例えば１２００［Ｗ］のものを２本用いて構成される。
【００６３】
ハロゲンヒーター２８０ｈの温度は、定着ベルト２８０ｆの温度が１１０〜１３０［℃］、すなわち透明トナーに含まれるワックスの融点以上となるように、制御部１５１によって制御される。ハロゲンヒーター２８０ｈによって加熱ローラー２８０ｄが加熱され、その結果、定着ベルト２８０ｆが加熱される。
【００６４】
光沢処理装置２８０における定着速度は、例えば、３００［ｍｍ／ｓ］である。定着速度は、上加圧ローラー２８０ｂと下加圧ローラー２８０ｅとによって形成される定着ニップ部ＮＰを、記録用紙２７０が通過する速度である。
【００６５】
なお、定着ニップ部ＮＰ２を形成する上側加圧部および下側加圧部は、加熱部として機能する。
【００６６】
光沢処理装置２８０は、定着ニップ部ＮＰ２を形成する上側加圧部および下側加圧部の他に、用紙位置検出部２８２、カバー２８４ａ，２８４ｂおよびファン２８６ａ，２８６ｂを有する。
【００６７】
用紙位置検出部２８２は、記録用紙２７０の搬送方向における位置を認識するため、定着ニップ部ＮＰ２から搬送方向上流側に５０［ｍｍ］の位置に設けられている。用紙位置検出部２８２は、搬送される記録用紙２７０の通過を検出すると、その旨の信号（以下、用紙検出信号と称する）を制御部１５１に出力する。用紙位置検出部２８２は、例えば反射型フォトセンサーにより構成されるが、これに限定されるものではなく、記録用紙２７０が通過したことを検出できるセンサーであれば、その検出方式は問わない。
【００６８】
カバー２８４ａ，２８４ｂは、例えば厚さ３［ｍｍ］のアルミニウムから形成されている。カバー２８４ａ，２８４ｂは、定着ベルト２８０ｃ，２８０ｆの半周分をそれぞれ覆うため、定着ニップ部ＮＰ２から搬送方向下流側に５０［ｍｍ］の位置に設けられている。カバー２８４ａ，２８４ｂは、温度低下防止部、エア遮断部として機能し、定着ベルト２８０ｃ，２８０ｆの温度低下を防止する。
【００６９】
ファン２８６ａ，２８６ｂは、冷却部として機能し、それぞれ予め設定されたエアーの吹き付けポイントにエアーを送風する。ファン２８６ａの吹き付けポイントは、記録用紙２７０の第１面目である。ファン２８６ｂの吹き付けポイントは、記録用紙の第２面目である。
【００７０】
ファン２８６ａ，２８６ｂは、図３（ｂ）に示すように、例えば３０［ｍｍ］×３０［ｍｍ］のシロッコファンであり、電力は５［Ｗ］、静圧は３００［Ｐａ］である。ファン２８６ａ，２８６ｂは、エアー送風ダクト２８７を有する。本実施の形態では、１２個のファン２８６ａ（２８６ｂ）は、上加圧ローラー２８０ｂ（下加圧ローラー２８０ｅ）の軸方向に並べて配置されている。
【００７１】
エアー送風ダクト２８７の送風口は、記録用紙２７０の幅方向に３６０［ｍｍ］、記録用紙２７０の厚さ方向に２．０［ｍｍ］の開口を有する。エアー送風ダクト２８７の送風口から吐出される風量は、記録用紙２７０を所定速度（例えば、５［℃／ｓ］）以上の冷却速度で冷却するため、０．２〜０．６［ｍ３／ｍｉｎ］である。ファン２８６ａ，２８６ｂによる送風タイミング（ファンの回転のオン／オフ）や風量（ファンの回転数）は、制御部１５１によって制御される。
【００７２】
［画像形成システム１５０の動作］
次に、図４のフローチャートを参照し、画像形成システム１５０の動作について説明する。なお、ステップＳ１００〜Ｓ２３０の処理は、定着部２６０により、第１面目および第２面目にトナー像（有色トナー像および透明トナー像）が定着された記録用紙２７０（例えば、Ａ３サイズのコート紙）の各々に対して行われる処理である。
【００７３】
まず、制御部１５１は、記憶部１６６に記憶されているジョブ情報を参照し、記録用紙２７０の坪量［ｇ／ｍ２］が１８０以上かつ２００未満であるか否かについて判定する（ステップＳ１００）。この判定の結果、記録用紙２７０の坪量が１８０以上かつ２００未満である場合（ステップＳ１００、ＹＥＳ）、制御部１５１は、定着ベルト２８０ｃ，２８０ｆの制御温度を１１０［℃］に設定する（ステップＳ１３０）。
【００７４】
次に、制御部１５１は、ファン２８６ａ，２８６ｂの風量を０．２［ｍ３／ｍｉｎ］に設定する（ステップＳ１４０）。その後、画像形成システム１５０の処理はステップＳ１９０に遷移する。
【００７５】
一方、記録用紙２７０の坪量が１８０以上かつ２００未満でないと判定された場合（ステップＳ１００、ＮＯ）、制御部１５１は、記録用紙２７０の坪量が２００以上かつ２５０未満であるか否かについて判定する（ステップＳ１１０）。この判定の結果、記録用紙２７０の坪量が２００以上かつ２５０未満である場合（ステップＳ１１０、ＹＥＳ）、制御部１５１は、定着ベルト２８０ｃ，２８０ｆの制御温度を１２０［℃］に設定する（ステップＳ１５０）。
【００７６】
次に、制御部１５１は、ファン２８６ａ，２８６ｂの風量を０．４［ｍ３／ｍｉｎ］に設定する（ステップＳ１６０）。その後、画像形成システム１５０の処理はステップＳ１９０に遷移する。
【００７７】
一方、記録用紙２７０の坪量が２００以上かつ２５０未満でないと判定された場合（ステップＳ１１０、ＮＯ）、制御部１５１は、記録用紙２７０の坪量が２５０以上かつ３００未満であるか否かについて判定する（ステップＳ１２０）。この判定の結果、記録用紙２７０の坪量が２５０以上かつ３００未満である場合（ステップＳ１２０、ＹＥＳ）、制御部１５１は、定着ベルト２８０ｃ，２８０ｆの制御温度を１３０［℃］に設定する（ステップＳ１７０）。
【００７８】
次に、制御部１５１は、ファン２８６ａ，２８６ｂの風量を０．６［ｍ３／ｍｉｎ］に設定する（ステップＳ１８０）。その後、画像形成システム１５０の処理はステップＳ１９０に遷移する。
【００７９】
一方、記録用紙２７０の坪量が２５０以上かつ３００未満でないと判定された場合（ステップＳ１２０、ＮＯ）、画像形成システム１５０の処理はステップＳ１３０に遷移する。
【００８０】
ステップＳ１９０では、制御部１５１は、定着ベルト２８０ｃ，２８０ｆの温度がステップＳ１３０，Ｓ１５０またはＳ１７０の何れかで設定した制御温度に達するように、ハロゲンヒーター２８０ｇ，２８０ｈの温度を制御する。次に、制御部１５１は、用紙位置検出部２８２から用紙検出信号が出力されたか否かを確認することによって、用紙位置検出部２８２が記録用紙２７０の通過を検出したか否かについて判定する（ステップＳ２００）。
【００８１】
この判定の結果、記録用紙２７０の通過を検出していない場合（ステップＳ２００、ＮＯ）、画像形成システム１５０の処理はステップＳ２００に遷移する。一方、記録用紙２７０の通過を検出したと判定された場合（ステップＳ２００、ＹＥＳ）、制御部１５１は、ファン２８６ａ，２８６ｂがステップＳ１４０，Ｓ１６０またはＳ１８０の何れかで設定した風量で動作開始するように、ファン２８６ａ，２８６ｂを制御する（ステップＳ２１０）。
【００８２】
次に、制御部１５１は、用紙位置検出部２８２から用紙検出信号が出力されなくなってから所定時間（例えば、０．４［ｓ］）経過したか否かを確認することによって、記録用紙２７０がファン２８６ａ，２８６ｂの吹き付けポイントを通過したか否かについて判定する（ステップＳ２２０）。この判定の結果、ファン２８６ａ，２８６ｂの吹き付けポイントを通過していない場合（ステップＳ２２０、ＮＯ）、画像形成システム１５０の処理はステップＳ２２０に遷移する。
【００８３】
一方、ファン２８６ａ，２８６ｂの吹き付けポイントを通過したと判定された場合（ステップＳ２２０、ＹＥＳ）、制御部１５１は、ファン２８６ａ，２８６ｂの動作を終了する（ステップＳ２３０）。ステップＳ２３０の処理が完了することによって、画像形成システム１５０は図４における処理を終了する。
【００８４】
［第１の実施の形態における効果］
以上詳しく説明したように、第１の実施の形態では、ワックスを少なくとも含む透明トナーからなる透明トナー像が、表裏両面の最外層にそれぞれ定着された記録用紙２７０を、両面から一時に加熱する加熱部（上側加圧部および下側加圧部）と、加熱部に対して記録用紙２７０の搬送方向下流側に配置され、加熱部により加熱された記録用紙２７０を両面から一時に冷却するファン２８６ａ，２８６ｂと、加熱部およびファン２８６ａ，２８６ｂを制御する制御部１５１とを備える。制御部１５１は、ワックスの融点よりも高い所定温度を上回る温度で両面が加熱されるべく加熱部を制御するとともに、融点を下回る温度で両面が冷却されるべくファン２８６ａ，２８６ｂを制御する。
【００８５】
このように構成した本実施の形態によれば、ワックスの融点よりも高い所定温度を上回る温度で記録用紙の両面を加熱するとともに、当該融点を下回る温度で両面を冷却することで、ワックスの融点を通過する際の冷却速度が十分大きくなり、ワックスの結晶化（白濁化）を防止することができる。これにより、透明トナーに含まれるワックスの結晶化に起因する濃度ムラの発生を抑止することができる。
【００８６】
また、本実施の形態では、制御部１５１は、記録用紙２７０の坪量に応じて、記録用紙２７０の加熱温度（すなわち、定着ベルト２８０ｃ，２８０ｆの制御温度）を変更することによって加熱量を変更する。また、制御部１５１は、記録用紙２７０の坪量に応じて冷却量（すなわち、ファン２８６ａ，２８６ｂの風量）を変更するようにファン２８６ａ，２８６ｂを制御する。このように構成した本実施の形態によれば、記録用紙２７０の坪量、すなわち温まりやすさおよび冷えやすさに影響を与える熱容量がそれぞれ異なる記録用紙２７０に応じて、加熱量および冷却量が設定される。そのため、記録用紙２７０の種類が異なっても、記録用紙２７０にとって最適な加熱条件および冷却条件で、加熱処理および冷却処理を実行することができる。
【００８７】
［変形例］
なお、上記第１の実施の形態において、記録用紙２７０の両面に有色トナー像と透明トナー像とを順次形成して定着する処理は、次のような処理でも良い。まず、画像形成装置１６０において、有色トナー像を記録用紙２７０の第１面目に形成（現像）して定着する。そして、記録用紙２７０を、後処理装置１７０（透明トナー付与部６０、定着部２６０）へ搬送する。次に、後処理装置１７０において、透明トナー像を記録用紙２７０の第１面目に形成して定着する。そして、記録用紙２７０の表裏を反転させた後、記録用紙２７０を、画像形成装置１６０まで搬送する。次に、画像形成装置１６０において、有色トナー像を記録用紙２７０の第２面目に形成して定着する。そして、記録用紙２７０を、後処理装置１７０へ搬送する。最後に、後処理装置１７０において、透明トナー像を記録用紙２７０の第２面目に形成して定着する。その後、記録用紙２７０は、光沢処理装置２８０に搬送される。
【００８８】
（第２の実施の形態）
次に、図５を参照して、第２の実施の形態を詳細に説明する。第１の実施の形態では、後処理装置１７０が光沢処理装置２８０を備える構成について説明した。第２の実施の形態では、後処理装置１７０と光沢処理装置２８０とが別体化されている構成について説明する。なお、第１の実施の形態における各部構成と同様のものについては同一の符号を付し、その説明を省略する。
【００８９】
［定着部２６０および光沢処理装置２８０の構成］
定着部２６０および光沢処理装置２８０の具体的な構成について説明する。図５に示すように、定着部２６０により加熱定着された記録用紙２７０は、後処理装置１７０の外（排紙トレイ２８８）に排紙される。
【００９０】
光沢処理装置２８０は、制御部２９０、記憶部２９２、操作表示部２９４、定着部材としての上加圧ローラー３００ａ，下加圧ローラー３００ｂ、用紙位置検出部３０２、カバー３０４ａ，３０４ｂ、エアノズル３０６ａ，３０６ｂ、用紙トレイ３０８および排紙トレイ３１０を備える。
【００９１】
制御部２９０、記憶部２９２および操作表示部２９４は、画像形成システム１５０の制御部１５１、記憶部１６６および操作表示部１６２と同様の構成を有する。用紙トレイ３０８には、定着部２６０により加熱定着された記録用紙２７０が複数枚重ねて載置されている。
【００９２】
上加圧ローラー３００ａは、上加圧ローラー３００ａを加熱するハロゲンヒーター３００ｃを内蔵している。ハロゲンヒーター３００ｃは、例えば、アルミニウム等から形成された円筒状の芯金における外周面をＰＴＦＥでコーティングした樹脂層で被覆されている。ハロゲンヒーター３００ｃは、例えば１２００［Ｗ］のものを２本用いて構成される。
【００９３】
ハロゲンヒーター３００ｃの温度は、上加圧ローラー３００ａの温度が１２０［℃］、すなわち透明トナーに含まれるワックスの融点以上となるように、制御部２９０によって制御される。
【００９４】
上加圧ローラー３００ａは、下加圧ローラー３００ｂとともに、記録用紙２７０を狭持して搬送する定着ニップ部ＮＰ３を形成するための加圧部を構成する。上加圧ローラー３００ａの駆動制御（例えば、回転のオン／オフ、回転数等）は、制御部２９０によって行われる。
【００９５】
上加圧ローラー３００ａは、例えば、鉄等の金属から形成された中実の芯金を、弾性層として厚さ６．５［ｍｍ］の耐熱性のシリコンゴム（硬度ＪＩＳ−Ａ１０［°］）で被覆し、さらに、厚さ３０［μｍ］のＰＦＡチューブの樹脂層で被覆したものである。
【００９６】
下加圧ローラー３００ｂは、押圧手段（図示略）により上加圧ローラー３００ａに所定の定着荷重（例えば１０００［Ｎ］）で押圧される。下加圧ローラー３００ｂの駆動制御（例えば、回転のオン／オフ、回転数等）は、制御部２９０によって行われる。
【００９７】
下加圧ローラー３００ｂは、アルミニウム等から形成された円筒状の芯金の外周面を、弾性層として厚さ２．５［ｍｍ］の耐熱性のシリコンゴム（硬度ＪＩＳ−Ａ１０［°］）で被覆し、さらに、厚さ３０［μｍ］のＰＦＡチューブの樹脂層で被覆したものである。
【００９８】
下加圧ローラー３００ｂは、下加圧ローラー３００ｂを加熱するハロゲンヒーター３００ｄを内蔵している。ハロゲンヒーター３００ｄは、例えば、アルミニウム等から形成された円筒状の芯金における外周面をＰＴＦＥでコーティングした樹脂層で被覆されている。ハロゲンヒーター３００ｄは、例えば１２００［Ｗ］のものを２本用いて構成される。
【００９９】
ハロゲンヒーター３００ｄの温度は、下加圧ローラー３００ｂの温度が１２０［℃］、すなわち透明トナーに含まれるワックスの融点以上となるように、制御部２９０によって制御される。
【０１００】
光沢処理装置２８０における定着速度（上加圧ローラー３００ａおよび下加圧ローラー３００ｂの線速）は、例えば、１５０［ｍｍ／ｓ］である。定着速度は、上加圧ローラー３００ａと下加圧ローラー３００ｂとによって形成される定着ニップ部ＮＰ３を、記録用紙２７０が通過する速度である。
【０１０１】
なお、定着ニップ部ＮＰ３を形成する上加圧ローラー３００ａおよび下加圧ローラー３００ｂは、加熱部として機能する。
【０１０２】
用紙位置検出部３０２は、記録用紙２７０の搬送方向における位置を認識するため、定着ニップ部ＮＰ３から搬送方向上流側に５０［ｍｍ］の位置に設けられている。用紙位置検出部３０２は、搬送される記録用紙２７０の通過を検出すると、その旨の信号（以下、用紙検出信号と称する）を制御部２９０に出力する。用紙位置検出部３０２は、例えば反射型フォトセンサーにより構成されるが、これに限定されるものではなく、記録用紙２７０が通過したことを検出できるセンサーであれば、その検出方式は問わない。
【０１０３】
カバー３０４ａ，３０４ｂは、例えば厚さ３［ｍｍ］のアルミニウムから形成されている。カバー３０４ａ，３０４ｂは、上加圧ローラー３００ａおよび下加圧ローラー３００ｂの半周分をそれぞれ覆うため、定着ニップ部ＮＰ３から搬送方向下流側に５０［ｍｍ］の位置に設けられている。カバー３０４ａ，３０４ｂは、温度低下防止部、エア遮断部として機能し、上加圧ローラー３００ａおよび下加圧ローラー３００ｂの温度低下を防止する。
【０１０４】
エアノズル３０６ａ，３０６ｂは、それぞれ予め設定されたエアーの吹き付けポイントに圧縮エアーを送風する。エアノズル３０６ａ，３０６ｂの吐出口には、微小な吐出穴が多数形成される。具体的には、エアノズル３０６ａ，３０６ｂの吐出口には、φ０．６［ｍｍ］の吐出穴が５［ｍｍ］ピッチで３２７個形成される。エアノズル３０６ａの吹き付けポイントは、記録用紙２７０の第１面目である。エアノズル３０６ｂの吹き付けポイントは、記録用紙の第２面目である。
【０１０５】
エアノズル３０６ａ，３０６ｂには、蓄圧タンク３１４が接続されている。蓄圧タンク３１４には、コンプレッサー３１２が接続されている。コンプレッサー３１２は、吸気口から導入した空気を高圧に圧縮し、生成された圧縮空気を蓄圧タンク３１４に送出する。本実施の形態では、コンプレッサー３１２は、吐出空気量が１８〜２０［Ｌ／ｍｉｎ］、吐出圧力が０．８［ＭＰａ］である。
【０１０６】
蓄圧タンク３１４は、コンプレッサー３１２から送出された圧縮空気を貯留する圧力容器である。本実施の形態では、蓄圧タンク３１４として、中型の圧力容器（例えば容積２［Ｌ］）のものが使用される。
【０１０７】
蓄圧タンク３１４に貯留された圧縮空気は、電磁弁（図示せず）の開閉動作により、所定の吐出空気量、吐出圧でエアノズル３０６ａ，３０６ｂから吐出される。エアノズル３０６ａ，３０６ｂから吐出される圧縮空気の送風タイミングや吐出空気量は、制御部２９０によって制御される。なお、エアノズル３０６ａ，３０６ｂ、蓄圧タンク３１４およびコンプレッサー３１２は、冷却部として機能する。
【０１０８】
光沢処理装置２８０により加熱処理および冷却処理が施された記録用紙２７０は、光沢処理装置２８０の外（排紙トレイ３１０）に排紙される。
【０１０９】
［光沢処理装置２８０の動作］
次に、図６のフローチャートを参照し、光沢処理装置２８０の動作について説明する。なお、ステップＳ３００の処理は、用紙トレイ３０８に載置されている記録用紙２７０に対して加熱処理および冷却処理を実行するためのユーザー操作が操作表示部２９４に対して行われることによって開始する。ユーザー操作に関する情報は、ジョブ情報として記憶部２９２に記憶されている。
【０１１０】
まず、制御部２９０は、記憶部２９２に記憶されているジョブ情報を参照し、用紙トレイ３０８に載置されている記録用紙２７０の坪量［ｇ／ｍ２］が２００以上かつ２５０未満であるか否かについて判定する（ステップＳ３００）。この判定の結果、記録用紙２７０の坪量が２００以上かつ２５０未満である場合（ステップＳ３００、ＹＥＳ）、制御部２９０は、定着速度を１５０［ｍｍ／ｓ］に設定する（ステップＳ３２０）。
【０１１１】
次に、制御部２９０は、コンプレッサー３１２の吐出空気量を１８［Ｌ／ｍｉｎ］に設定する（ステップＳ３３０）。その後、光沢処理装置２８０の処理はステップＳ３６０に遷移する。
【０１１２】
一方、記録用紙２７０の坪量が２００以上かつ２５０未満でないと判定された場合（ステップＳ３００、ＮＯ）、制御部２９０は、記録用紙２７０の坪量が２５０以上かつ３００未満であるか否かについて判定する（ステップＳ３１０）。この判定の結果、記録用紙２７０の坪量が２５０以上かつ３００未満である場合（ステップＳ３１０、ＹＥＳ）、制御部２９０は、定着速度を１００［ｍｍ／ｓ］に設定する（ステップＳ３４０）。
【０１１３】
次に、制御部２９０は、コンプレッサー３１２の吐出空気量を２０［Ｌ／ｍｉｎ］に設定する（ステップＳ３５０）。その後、光沢処理装置２８０の処理はステップＳ３６０に遷移する。
【０１１４】
一方、記録用紙２７０の坪量が２５０以上かつ３００未満でないと判定された場合（ステップＳ３１０、ＮＯ）、光沢処理装置２８０は図６における処理を終了する。
【０１１５】
ステップＳ３６０では、制御部２９０は、ステップＳ３２０またはＳ３４０の何れかで設定した定着速度となるように、上加圧ローラー３００ａおよび下加圧ローラー３００ｂの回転速度を制御する。次に、制御部２９０は、用紙位置検出部３０２から用紙検出信号が出力されたか否かを確認することによって、用紙位置検出部３０２が、用紙トレイ３０８から搬送された記録用紙２７０の通過を検出したか否かについて判定する（ステップＳ３７０）。
【０１１６】
この判定の結果、記録用紙２７０の通過を検出していない場合（ステップＳ３７０、ＮＯ）、画像形成システム１５０の処理はステップＳ３７０に遷移する。一方、記録用紙２７０の通過を検出したと判定された場合（ステップＳ３７０、ＹＥＳ）、制御部２９０は、コンプレッサー３１２がステップＳ３３０またはＳ３５０の何れかで設定した吐出空気量で動作開始するように、コンプレッサー３１２を制御する（ステップＳ３８０）。
【０１１７】
次に、制御部２９０は、用紙位置検出部３０２から用紙検出信号が出力されなくなってから所定時間（例えば、０．５［ｓ］）経過したか否かを確認することによって、記録用紙２７０がエアノズル３０６ａ，３０６ｂの吹き付けポイントを通過したか否かについて判定する（ステップＳ３９０）。この判定の結果、エアノズル３０６ａ，３０６ｂの吹き付けポイントを通過していない場合（ステップＳ３９０、ＮＯ）、光沢処理装置２８０の処理はステップＳ３９０に遷移する。
【０１１８】
一方、エアノズル３０６ａ，３０６ｂの吹き付けポイントを通過したと判定された場合（ステップＳ３９０、ＹＥＳ）、制御部２９０は、コンプレッサー３１２の動作を終了する（ステップＳ４００）。ステップＳ４００の処理が完了することによって、光沢処理装置２８０は図６における処理を終了する。
【０１１９】
［第２の実施の形態における効果］
以上詳しく説明したように、第２の実施の形態では、ワックスを少なくとも含む透明トナーからなる透明トナー像が、表裏両面の最外層にそれぞれ定着された記録用紙２７０を、両面から一時に加熱する加熱部（上加圧ローラー３００ａおよび下加圧ローラー３００ｂ）と、加熱部に対して記録用紙２７０の搬送方向下流側に配置され、加熱部により加熱された記録用紙２７０を両面から一時に冷却する冷却部（エアノズル３０６ａ，３０６ｂ、蓄圧タンク３１４およびコンプレッサー３１２）と、加熱部および冷却部を制御する制御部１５１とを備える。制御部１５１は、ワックスの融点よりも高い所定温度を上回る温度で両面が加熱されるべく加熱部を制御するとともに、融点を下回る温度で両面が冷却されるべく冷却部を制御する。
【０１２０】
このように構成した本実施の形態によれば、ワックスの融点よりも高い所定温度を上回る温度で記録用紙の両面を加熱するとともに、当該融点を下回る温度で両面を冷却することで、ワックスの融点を通過する際の冷却速度が十分大きくなり、ワックスの結晶化（白濁化）を防止することができる。これにより、透明トナーに含まれるワックスの結晶化に起因する濃度ムラの発生を抑止することができる。
【０１２１】
また、本実施の形態では、制御部２９０は、記録用紙２７０の坪量に応じて、記録用紙２７０の加熱時間を変更することによって加熱量を変更する。具体的には、定着速度を変更することによって、記録用紙２７０の加熱時間を変更する。また、制御部２９０は、記録用紙２７０の坪量に応じて冷却量（すなわち、コンプレッサー３１２の吐出空気量）を変更するようにコンプレッサー３１２を制御する。このように構成した本実施の形態によれば、記録用紙２７０の坪量、すなわち温まりやすさおよび冷えやすさに影響を与える熱容量がそれぞれ異なる記録用紙２７０に応じて、加熱量および冷却量が設定される。そのため、記録用紙２７０の種類が異なっても、記録用紙２７０にとって最適な加熱条件および冷却条件で、加熱処理および冷却処理を実行することができる。
【０１２２】
（第３の実施の形態）
次に、図７を参照して、第３の実施の形態を詳細に説明する。第１の実施の形態では、記録用紙２７０の坪量に関係なく、光沢処理装置２８０において当該記録用紙に加熱処理および冷却処理を施す構成について説明した。第３の実施の形態では、所定値以上の坪量を有する記録用紙２７０のみに加熱処理および冷却処理を施す構成について説明する。なお、第１の実施の形態における各部構成と同様のものについては同一の符号を付し、その説明を省略する。
【０１２３】
［光沢処理装置２８０の構成］
図７に示すように、光沢処理装置２８０は、図３のカバー２８４ａ，２８４ｂに代えて、上側加圧部および下側加圧部を覆うカバー４００を備えている。カバー４００は、例えば厚さ３［ｍｍ］のアルミニウムから形成されている。カバー４００は、温度低下防止部、エア遮断部として機能し、定着ベルト２８０ｃ，２８０ｆの温度低下を防止する。
【０１２４】
光沢処理装置２８０は、上側加圧部および下側加圧部による加熱処理、ファン２８６ａ，２８６ｂによる冷却処理が施される第１搬送経路と、当該加熱処理および冷却処理が施されない第２搬送経路４１０とを備える。第２搬送経路４１０では、記録用紙２７０は、制御部１５１の制御を受けた複数の送りローラー４２０によって搬送され、排紙トレイ２８８に排紙される。なお、第２搬送経路４１０は、上側加圧部および下側加圧部による加熱処理は施されず、ファン２８６ａ，２８６ｂによる冷却処理のみが施される搬送経路でも良い。
【０１２５】
［画像形成システム１５０の動作］
次に、図８のフローチャートを参照し、画像形成システム１５０の動作について説明する。なお、ステップＳ５００〜Ｓ６１０の処理は、定着部２６０により、第１面目および第２面目にトナー像（有色トナー像および透明トナー像）が定着された記録用紙２７０（例えば、Ａ３サイズのコート紙）の各々に対して行われる処理である。
【０１２６】
まず、制御部１５１は、記憶部１６６に記憶されているジョブ情報を参照し、記録用紙２７０の坪量［ｇ／ｍ２］が２００以上かつ２５０未満であるか否かについて判定する（ステップＳ５００）。この判定の結果、記録用紙２７０の坪量が２００以上かつ２５０未満である場合（ステップＳ５００、ＹＥＳ）、制御部１５１は、定着ベルト２８０ｃ，２８０ｆの制御温度を１２０［℃］に設定する（ステップＳ５２０）。
【０１２７】
次に、制御部１５１は、ファン２８６ａ，２８６ｂの風量を０．４［ｍ３／ｍｉｎ］に設定する（ステップＳ５３０）。その後、画像形成システム１５０の処理はステップＳ５６０に遷移する。
【０１２８】
一方、記録用紙２７０の坪量が２００以上かつ２５０未満でないと判定された場合（ステップＳ５００、ＮＯ）、制御部１５１は、記録用紙２７０の坪量が２５０以上かつ３００未満であるか否かについて判定する（ステップＳ５１０）。この判定の結果、記録用紙２７０の坪量が２５０以上かつ３００未満である場合（ステップＳ５１０、ＹＥＳ）、制御部１５１は、定着ベルト２８０ｃ，２８０ｆの制御温度を１３０［℃］に設定する（ステップＳ５４０）。
【０１２９】
次に、制御部１５１は、ファン２８６ａ，２８６ｂの風量を０．６［ｍ３／ｍｉｎ］に設定する（ステップＳ５５０）。その後、画像形成システム１５０の処理はステップＳ５６０に遷移する。
【０１３０】
一方、記録用紙２７０の坪量が２５０以上かつ３００未満でないと判定された場合（ステップＳ５１０、ＮＯ）、制御部１５１は、記録用紙２７０が第２搬送経路４１０を搬送されるように、複数の送りローラー４２０を制御する（ステップＳ６１０）。ステップＳ６１０の処理が完了することによって、画像形成システム１５０は図８における処理を終了する。
【０１３１】
ステップＳ５６０では、制御部１５１は、定着ベルト２８０ｃ，２８０ｆの温度がステップＳ５２０またはＳ５４０の何れかで設定した制御温度に達するように、ハロゲンヒーター２８０ｇ，２８０ｈの温度を制御する。次に、制御部１５１は、用紙位置検出部２８２から用紙検出信号が出力されたか否かを確認することによって、用紙位置検出部２８２が記録用紙２７０の通過を検出したか否かについて判定する（ステップＳ５７０）。
【０１３２】
この判定の結果、記録用紙２７０の通過を検出していない場合（ステップＳ５７０、ＮＯ）、画像形成システム１５０の処理はステップＳ５７０に遷移する。一方、記録用紙２７０の通過を検出したと判定された場合（ステップＳ５７０、ＹＥＳ）、制御部１５１は、ファン２８６ａ，２８６ｂがステップＳ５３０またはＳ５５０の何れかで設定した風量で動作開始するように、ファン２８６ａ，２８６ｂを制御する（ステップＳ５８０）。
【０１３３】
次に、制御部１５１は、用紙位置検出部２８２から用紙検出信号が出力されなくなってから所定時間（例えば、０．４［ｓ］）経過したか否かを確認することによって、記録用紙２７０がファン２８６ａ，２８６ｂの吹き付けポイントを通過したか否かについて判定する（ステップＳ５９０）。この判定の結果、ファン２８６ａ，２８６ｂの吹き付けポイントを通過していない場合（ステップＳ５９０、ＮＯ）、画像形成システム１５０の処理はステップＳ５９０に遷移する。
【０１３４】
一方、ファン２８６ａ，２８６ｂの吹き付けポイントを通過したと判定された場合（ステップＳ５９０、ＹＥＳ）、制御部１５１は、ファン２８６ａ，２８６ｂの動作を終了する（ステップＳ６００）。ステップＳ６００の処理が完了することによって、画像形成システム１５０は図８における処理を終了する。
【０１３５】
［第３の実施の形態における効果］
以上詳しく説明したように、第３の実施の形態では、第１の実施の形態と同様の加熱処理および冷却処理を実行するための構成を備えているため、第１の実施の形態と同様の効果を得ることができる。また、第３の実施の形態では、記録用紙２７０が所定値（２００［ｇ／ｍ２］）以上の坪量を有する厚紙である場合にのみ、加熱処理および冷却処理を施している。記録用紙２７０が厚紙でない場合、記録用紙２７０は、定着部２６０の定着処理によって加熱されやすく、定着処理後の自然冷却時に、ワックスの融点を通過する際の冷却速度は大きくなりやすい。そのため、記録用紙２７０の第１面目における透明トナー像には、白濁域と透明域とが生じず濃度ムラが発生しない。よって、光沢処理装置２８０において、濃度ムラを解消するための加熱処理が、記録用紙２７０に不必要に施されることを防止できる。
【０１３６】
（第４の実施の形態）
次に、図９を参照して、第４の実施の形態を詳細に説明する。第４の実施の形態では、第２の実施の形態と異なり、冷却器５００が冷却部として機能する。つまり、第４の実施の形態における光沢処理装置２８０は、図５のエアノズル３０６ａ，３０６ｂ、蓄圧タンク３１４およびコンプレッサー３１２を備えない。なお、第２の実施の形態における各部構成と同様のものについては同一の符号を付し、その説明を省略する。
【０１３７】
［光沢処理装置２８０の構成］
光沢処理装置２８０は、図５のカバー３０４ａ，３０４ｂを備えない。冷却器５００は、外気等の処理空気を取り入れ、取り入れた処理空気を冷却する。冷却器５００内の温度は、５［℃］以下となるように、制御部２９０によって制御される。冷却器５００により冷却処理が施された記録用紙２７０は、光沢処理装置２８０の外（排紙トレイ３１０）に排紙される。
【０１３８】
［光沢処理装置２８０の動作］
次に、図１０のフローチャートを参照し、光沢処理装置２８０の動作について説明する。なお、ステップＳ７００の処理は、用紙トレイ３０８に載置されている記録用紙２７０に対して加熱処理および冷却処理を実行するためのユーザー操作が操作表示部２９４に対して行われることによって開始する。ユーザー操作に関する情報は、ジョブ情報として記憶部２９２に記憶されている。
【０１３９】
まず、制御部２９０は、記憶部２９２に記憶されているジョブ情報を参照し、用紙トレイ３０８に載置されている記録用紙２７０の坪量［ｇ／ｍ２］が２００以上かつ２５０未満であるか否かについて判定する（ステップＳ７００）。この判定の結果、記録用紙２７０の坪量が２００以上かつ２５０未満である場合（ステップＳ７００、ＹＥＳ）、制御部２９０は、定着速度を１５０［ｍｍ／ｓ］に設定する（ステップＳ７２０）。その後、光沢処理装置２８０の処理はステップＳ７４０に遷移する。
【０１４０】
一方、記録用紙２７０の坪量が２００以上かつ２５０未満でないと判定された場合（ステップＳ７００、ＮＯ）、制御部２９０は、記録用紙２７０の坪量が２５０以上かつ３００未満であるか否かについて判定する（ステップＳ７１０）。この判定の結果、記録用紙２７０の坪量が２５０以上かつ３００未満である場合（ステップＳ７１０、ＹＥＳ）、制御部２９０は、定着速度を１００［ｍｍ／ｓ］に設定する（ステップＳ７３０）。その後、光沢処理装置２８０の処理はステップＳ７４０に遷移する。
【０１４１】
一方、記録用紙２７０の坪量が２５０以上かつ３００未満でないと判定された場合（ステップＳ７１０、ＮＯ）、光沢処理装置２８０は図１０における処理を終了する。
【０１４２】
ステップＳ７４０では、制御部２９０は、ステップＳ７２０またはＳ７４０の何れかで設定した定着速度となるように、上加圧ローラー３００ａおよび下加圧ローラー３００ｂの回転速度を制御する。次に、制御部２９０は、冷却器５００内の温度が５［℃］以下となるように冷却器５００の動作を開始させる（ステップＳ７５０）。
【０１４３】
次に、制御部２９０は、用紙位置検出部３０２から用紙検出信号が出力されなくなってから所定時間（例えば、１．５［ｓ］）経過したか否かを確認することによって、記録用紙２７０が冷却器５００内を通過したか否かについて判定する（ステップＳ７６０）。この判定の結果、冷却器５００内を通過していない場合（ステップＳ７６０、ＮＯ）、光沢処理装置２８０の処理はステップＳ７６０に遷移する。
【０１４４】
一方、冷却器５００内を通過したと判定された場合（ステップＳ７６０、ＹＥＳ）、制御部２９０は、冷却器５００の動作を終了させる（ステップＳ７７０）。ステップＳ７７０の処理が完了することによって、光沢処理装置２８０は図１０における処理を終了する。
【０１４５】
［第４の実施の形態における効果］
以上詳しく説明したように、第４の実施の形態では、第２の実施の形態と同様に、記録用紙２７０に対する加熱処理および冷却処理を実行するための構成を備えているため、第２の実施の形態と同様の効果を得ることができる。
【０１４６】
（第５の実施の形態）
次に、図１１を参照して、第５の実施の形態を詳細に説明する。第５の実施の形態では、第１の実施の形態と比べて、冷却部の構成が異なる。第５の実施の形態における光沢処理装置２８０は、図３（ａ）のカバー２８４ａ，２８４ｂおよび２８６ａ，２８６ｂを備えない。なお、第１の実施の形態における各部構成と同様のものについては同一の符号を付し、その説明を省略する。
【０１４７】
［光沢処理装置２８０の構成］
光沢処理装置２８０は、冷却部として機能するための構成、すなわち搬送ローラー６０２，６０４，６２２，６２４、搬送ベルト６００，６２０、エアー攪拌板６０６，６２６およびファン６０８，６１０，６１２，６２８，６３０，６３２を備える。
【０１４８】
搬送ベルト６００，６２０は、ゴム層がベースとして形成され、その外表面に軟質ポリウレタンを主成分とした表面層が形成されている。搬送ベルト６００は、搬送ローラー６０２，６０４に沿って無端状に巻き掛けられ、搬送ローラー６０２を回転駆動することにより図中反時計回りに回転される。搬送ベルト６２０は、搬送ローラー６２２，６２４に沿って無端状に巻き掛けられ、搬送ローラー６２２を回転駆動することにより図中時計回りに回転される。搬送ベルト６００，６２０の回転による記録用紙２７０の搬送速度は、例えば、３００［ｍｍ／ｓ］である。搬送ローラー６０２，６２２の駆動制御（例えば、回転のオン／オフ、回転数等）は、制御部１５１によって行われる。
【０１４９】
エアー攪拌板６０６，６２６は、例えば厚さ３［ｍｍ］のアルミニウムから形成され、多数の貫通孔が形成されている。この貫通孔は、ファン６０８，６１０，６２８，６３０に連通している。
【０１５０】
ファン６０８，６１０，６１２，６２８，６３０，６３２は、例えばシロッコファンであり、電力は５［Ｗ］、静圧は３００［Ｐａ］である。ファン６０８，６１０，６１２，６２８，６３０，６３２によって搬送ベルト６００，６２０が冷却され、その結果、搬送ベルト６００，６２０により搬送される記録用紙２７０が冷却される。ファン６０８，６１０，６１２，６２８，６３０，６３２から吐出される風量は、記録用紙２７０を所定速度（例えば、５［℃／ｓ］）以上の冷却速度で冷却するため、０．２〜０．６［ｍ３／ｍｉｎ］である。ファン６０８，６１０，６１２，６２８，６３０，６３２による送風タイミング（ファンの回転のオン／オフ）や風量（ファンの回転数）は、制御部１５１によって制御される。
【０１５１】
［画像形成システム１５０の動作］
次に、図１２のフローチャートを参照し、画像形成システム１５０の動作について説明する。なお、ステップＳ８００〜Ｓ９３０の処理は、定着部２６０により、第１面目および第２面目にトナー像（有色トナー像および透明トナー像）が定着された記録用紙２７０（例えば、Ａ３サイズのコート紙）の各々に対して行われる処理である。
【０１５２】
まず、制御部１５１は、記憶部１６６に記憶されているジョブ情報を参照し、記録用紙２７０の坪量［ｇ／ｍ２］が１８０以上かつ２００未満であるか否かについて判定する（ステップＳ８００）。この判定の結果、記録用紙２７０の坪量が１８０以上かつ２００未満である場合（ステップＳ８００、ＹＥＳ）、制御部１５１は、定着ベルト２８０ｃ，２８０ｆの制御温度を１１０［℃］に設定する（ステップＳ８３０）。
【０１５３】
次に、制御部１５１は、ファン６０８，６１０，６１２，６２８，６３０，６３２の風量を０．２［ｍ３／ｍｉｎ］に設定する（ステップＳ８４０）。その後、画像形成システム１５０の処理はステップＳ８９０に遷移する。
【０１５４】
一方、記録用紙２７０の坪量が１８０以上かつ２００未満でないと判定された場合（ステップＳ８００、ＮＯ）、制御部１５１は、記録用紙２７０の坪量が２００以上かつ２５０未満であるか否かについて判定する（ステップＳ８１０）。この判定の結果、記録用紙２７０の坪量が２００以上かつ２５０未満である場合（ステップＳ８１０、ＹＥＳ）、制御部１５１は、定着ベルト２８０ｃ，２８０ｆの制御温度を１２０［℃］に設定する（ステップＳ８５０）。
【０１５５】
次に、制御部１５１は、ファン６０８，６１０，６１２，６２８，６３０，６３２の風量を０．４［ｍ３／ｍｉｎ］に設定する（ステップＳ８６０）。その後、画像形成システム１５０の処理はステップＳ８９０に遷移する。
【０１５６】
一方、記録用紙２７０の坪量が２００以上かつ２５０未満でないと判定された場合（ステップＳ８１０、ＮＯ）、制御部１５１は、記録用紙２７０の坪量が２５０以上かつ３００未満であるか否かについて判定する（ステップＳ８２０）。この判定の結果、記録用紙２７０の坪量が２５０以上かつ３００未満である場合（ステップＳ８２０、ＹＥＳ）、制御部１５１は、定着ベルト２８０ｃ，２８０ｆの制御温度を１３０［℃］に設定する（ステップＳ８７０）。
【０１５７】
次に、制御部１５１は、ファン６０８，６１０，６１２，６２８，６３０，６３２の風量を０．６［ｍ３／ｍｉｎ］に設定する（ステップＳ８８０）。その後、画像形成システム１５０の処理はステップＳ８９０に遷移する。
【０１５８】
一方、記録用紙２７０の坪量が２５０以上かつ３００未満でないと判定された場合（ステップＳ８２０、ＮＯ）、画像形成システム１５０の処理はステップＳ８３０に遷移する。
【０１５９】
ステップＳ８９０では、制御部１５１は、定着ベルト２８０ｃ，２８０ｆの温度がステップＳ８３０，Ｓ８５０またはＳ８７０の何れかで設定した制御温度に達するように、ハロゲンヒーター２８０ｇ，２８０ｈの温度を制御する。次に、制御部１５１は、用紙位置検出部２８２から用紙検出信号が出力されたか否かを確認することによって、用紙位置検出部２８２が記録用紙２７０の通過を検出したか否かについて判定する（ステップＳ９００）。
【０１６０】
この判定の結果、記録用紙２７０の通過を検出していない場合（ステップＳ９００、ＮＯ）、画像形成システム１５０の処理はステップＳ９００に遷移する。一方、記録用紙２７０の通過を検出したと判定された場合（ステップＳ９００、ＹＥＳ）、制御部１５１は、ステップＳ８４０，Ｓ８６０またはＳ８８０の何れかで設定した風量でファン６０８，６１０，６１２，６２８，６３０，６３２の動作を開始させるとともに、搬送ローラー６０２，６２２の動作を開始させる（ステップＳ９１０）。
【０１６１】
次に、制御部１５１は、用紙位置検出部２８２から用紙検出信号が出力されなくなってから所定時間（例えば、１．５［ｓ］）経過したか否かを確認することによって、記録用紙２７０が光沢処理装置２８０の外（排紙トレイ３１０）に排紙されたか否かについて判定する（ステップＳ９２０）。この判定の結果、排紙トレイ３１０に排紙されていない場合（ステップＳ９２０、ＮＯ）、画像形成システム１５０の処理はステップＳ９２０に遷移する。
【０１６２】
一方、排紙トレイ３１０に排紙されたと判定された場合（ステップＳ９２０、ＹＥＳ）、制御部１５１は、ファン６０８，６１０，６１２，６２８，６３０，６３２の動作を終了させるとともに、搬送ローラー６０２，６２２の動作を終了させる（ステップＳ９３０）。ステップＳ９３０の処理が完了することによって、画像形成システム１５０は図１２における処理を終了する。
【０１６３】
［第５の実施の形態における効果］
以上詳しく説明したように、第５の実施の形態では、第１の実施の形態と同様に、記録用紙２７０に対する加熱処理および冷却処理を実行するための構成を備えているため、第１の実施の形態と同様の効果を得ることができる。
【０１６４】
その他、上記第１〜第５の実施の形態は、何れも本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【０１６５】
最後に、本発明者が行った、上記第１の実施の形態における有効性を確認する実験の結果について説明する。
【０１６６】
［実施例に係る画像形成システム１５０の構成］
実験用の装置としては、図１〜３の構成を有する画像形成システム１５０を用いた。
【０１６７】
［実験方法］
実験では、定着ベルト２８０ｃ，２８０ｆの制御温度を１１０〜１４０［℃］の間で変化させるとともに、ファン２８６ａ，２８６ｂの風量を０〜０．６［ｍ３／ｍｉｎ］の間で変化させ、坪量が２０９［ｇ／ｍ２］である厚紙の記録用紙２７０に対して、光沢処理装置２８０による加熱処理および冷却処理を施した。そして、出力された記録用紙２７０に画像不良が発生しているか否かを確認した。図１３は、画像不良の発生状況を下記評価基準により評価した結果を示す。
【０１６８】
（画像不良の発生状況）
○：画像荒れおよび濃度ムラの何れも確認できず、良好である。
×：画像荒れおよび濃度ムラの何れかが確認でき、実用上問題となるレベルである。
【０１６９】
図１３に示すように、定着ベルト２８０ｃ，２８０ｆの制御温度が１１０［℃］である場合、定着ベルト２８０ｃ，２８０ｆの制御温度が１２０［℃］であり、ファン２８６ａ，２８６ｂの風量が０［ｍ３／ｍｉｎ］である場合、または、定着ベルト２８０ｃ，２８０ｆの制御温度が１３０［℃］であり、ファン２８６ａ，２８６ｂの風量が０〜０．２［ｍ３／ｍｉｎ］である場合、記録用紙２７０の第１面目における透明トナー像に白濁域と透明域とが生じて濃度ムラが発生した。定着ベルト２８０ｃ，２８０ｆの制御温度が１４０［℃］である場合、記録用紙２７０の温度が透明トナーの軟化点（１１５［℃］）を超えたことに起因する画像荒れが記録用紙２７０の第１面目および第２面目に発生した。一方、定着ベルト２８０ｃ，２８０ｆの制御温度が１２０［℃］であり、ファン２８６ａ，２８６ｂの風量が０．２〜０．６［ｍ３／ｍｉｎ］である場合、または、定着ベルト２８０ｃ，２８０ｆの制御温度が１３０［℃］であり、ファン２８６ａ，２８６ｂの風量が０．４〜０．６［ｍ３／ｍｉｎ］である場合、記録用紙２７０の第１面目および第２面目には、濃度ムラおよび画像荒れの何れも発生しなかった。
【符号の説明】
【０１７０】
１１，３０８  用紙トレイ
１２  送り出しローラー
１３，６０２，６０４，６２２，６２４  搬送ローラー
１４  レジストローラー
２０，２０Ｔ  中間転写ベルト
２１Ｙ，２１Ｍ，２１Ｃ，２１Ｋ  プロセスユニット
３２  加熱ローラー
３３  加圧ローラー
６０  透明トナー付与部
１５０  画像形成システム
１５１，２９０  制御部
１５２  ＣＰＵ
１５３  ＲＯＭ
１５４  ＲＡＭ
１６０  画像形成装置
１６１  原稿読み取り部
１６２，２９４  操作表示部
１６３  画像処理部
１６４  画像形成部
１６５  搬送部
１６６  記憶部
１６７  通信部
１６８，２６０  定着部
１６９  排紙部
１７０  後処理装置
２０１  駆動ローラー
２０２  テンションローラー
２０３，２０３Ｔ  ２次転写ローラー
２１１，２１１Ｔ  感光体ドラム
２１２，２１２Ｔ  帯電器
２１３，２１３Ｔ  露光器
２１４，２１４Ｔ  現像部
２１５，２１５Ｔ  １次転写ローラー
２６０ａ，２８０ａ，２８０ｄ  加熱ローラー
２６０ｂ，２８０ｂ，３００ａ  上加圧ローラー
２６０ｃ，２８０ｃ，２８０ｆ  定着ベルト
２６０ｄ，２８０ｅ，３００ｂ  下加圧ローラー
２６０ｅ，２６０ｆ，２８０ｇ，２８０ｈ，３００ｃ，３００ｄ  ハロゲンヒーター
２９２  記憶部
２８０  光沢処理装置
２８２，３０２  用紙位置検出部
２８４ａ，２８４ｂ，３０４ａ，３０４ｂ，４００  カバー
２８６ａ，２８６ｂ，６０８，６１０，６１２，６２８，６３０，６３２  ファン
２８７  エアー送風ダクト
２８８，３１０  排紙トレイ
３０６ａ，３０６ｂ  エアノズル
３１２  コンプレッサー
３１４  蓄圧タンク
４１０  第２搬送経路
４２０  送りローラー
５００  冷却器
６００，６２０  搬送ベルト
６０６，６２６  エアー攪拌板
【図１】
2014021310.tif 000003
【図２】
2014021310.tif 000004
【図３】
2014021310.tif 000005
【図４】
2014021310.tif 000006
【図５】
2014021310.tif 000007
【図６】
2014021310.tif 000008
【図７】
2014021310.tif 000009
【図８】
2014021310.tif 000010
【図９】
2014021310.tif 000011
【図１０】
2014021310.tif 000012
【図１１】
2014021310.tif 000013
【図１２】
2014021310.tif 000014
【図１３】
2014021310.tif 000015
【図１４】
2014021310.tif 000016